(57)【要約】複数のインターネットサービス提供者(Internet Service Provider)事業者が一つのＩＳＰシステムを共有して各ＩＳＰ加入者にインターネットサービスを提供できるようにするマルチＩＳＰシステム及びその動作方法を提供する。加入しているＩＳＰのオンライン網を介して外部オンライン網とオンライン情報を送受信しようとする使用者ＰＣに連結されたオンライン連結手段の情報及び前記ＩＳＰがそれぞれ使用するＩＰアドレスに関する情報をあらかじめＩＰアドレス割当手段に貯蔵し、前記ＰＣが前記ＩＳＰオンライン網に接続しようとする場合、前記ＰＣ及びオンライン連結手段の情報を把握することによって、前記ＰＣ及びオンライン連結手段を複数のＩＳＰオンライン網のうち加入したＩＳＰオンライン網に連結させることによって、複数のＩＳＰ事業者が一つのＩＳＰシステムを用いてそれぞれの加入者らにインターネット接続サービスを提供できるとともに、一方で同一のＩＳＰシステムのような設備に対する重複投資を防ぎ、国家的次元における経済的損失も減らすことができる。
2004527941.tif 000002
【特許請求の範囲】
【請求項１】
ＰＣに連結された複数個のオンライン連結手段と、該オンライン連結手段にＩＰアドレスを付与することによって前記ＰＣが外部オンライン網に接続されるようにする複数のＩＳＰ(Internet Service Provider)とを連結するオンライン網において、
前記複数のＩＳＰがそれぞれ使用するＩＰアドレスに関する情報及び前記ＩＳＰに加入したオンライン連結手段に関する情報が、前記オンライン網で前記オンライン連結手段と前記ＩＳＰオンライン網とを連結するＩＰアドレス割当手段に貯蔵される第１段階と;
前記ＩＰアドレス割当手段に前記ＰＣが前記オンライン連結手段を介して接続するとき、前記第１段階で貯蔵された情報に基づいて前記オンライン連結手段が加入しているＩＳＰが使用するＩＰアドレスが前記ＰＣに割り当てられる第２段階と;
前記第２段階で前記ＰＣに割り当てられたＩＰアドレスに基づいて前記ＰＣの送受信情報がルーティング手段を通じて前記加入しているＩＳＰのオンライン網と送受信されることによって、前記ＰＣが外部オンライン網とオンライン情報を送受信する第３段階と；を含めてなることを特徴とするマルチインターネットサービス提供者システムの具現方法。
【請求項２】
前記第１段階において、前記ＩＰアドレス割当手段は、前記ＩＳＰ別に使用する私設ＩＰアドレスに関する情報と公認ＩＰアドレスに関する情報を貯蔵することを特徴とする請求項１記載のマルチインターネットサービス提供者システムの具現方法。
【請求項３】
前記第１段階において、前記ＩＰアドレス割当手段は、前記ＩＰアドレス割当手段に接続される前記オンライン連結手段を区別できるように前記オンライン連結手段に関する情報を貯蔵することを特徴とする請求項１記載のマルチインターネットサービス提供者システムの具現方法。
【請求項４】
前記第１段階において、前記ＩＰアドレス割当手段は、前記オンライン連結手段のデータリンク階層アドレスに関する情報を貯蔵することを特徴とする請求項１記載のマルチインターネットサービス提供者システムの具現方法。
【請求項５】
前記第２段階は、
前記第１段階のオンライン連結手段が前記ＩＰアドレス割当手段と連結される第１連結段階と;
前記第１連結段階で連結されたオンライン連結手段のデータリンク階層アドレスに関する情報が、前記ＩＰアドレス割当手段に貯蔵されたオンライン連結手段に関する情報と比較される第１比較段階と;
前記第１比較段階の比較結果に基づいて、前記オンライン連結手段に、前記オンライン連結手段が加入しているＩＳＰが使用する私設ＩＰアドレスが割り当てられる私設ＩＰアドレス割当段階と；をさらに含めてなることを特徴とする請求項１記載のマルチインターネットサービス提供者システムの具現方法。
【請求項６】
前記第２段階は、
前記ＰＣが前記オンライン連結手段を通じて前記ＩＰアドレス割当手段と連結される第２連結段階と;
前記第２連結段階で連結されたオンライン連結手段のデータリンク階層アドレスに関する情報が、前記ＩＰアドレス割当手段に貯蔵されたオンライン連結手段に関する情報と比較される第２比較段階と;
前記第２比較段階の比較結果に基づいて、前記ＰＣに、前記ＰＣと連結された前記オンライン連結手段が加入しているＩＳＰが使用する公認ＩＰアドレスが割り当てられる公認ＩＰアドレス割当段階と；をさらに含めてなることを特徴とする請求項１記載のマルチインターネットサービス提供者システムの具現方法。
【請求項７】
前記比較段階において、前記オンライン連結手段のデータリンク階層アドレスに、前記ＩＰアドレス割当手段に貯蔵されたオンライン連結手段に関する情報と一致するものが存在しない場合、前記連結段階の連結が解除されることを特徴とする請求項５または６記載のマルチインターネットサービス提供者システムの具現方法。
【請求項８】
前記ＩＰアドレス割当段階において、前記ＩＰアドレス割当手段は、前記比較段階で前記オンライン連結手段のデータリンク階層アドレスに、前記ＩＰアドレス割当手段に貯蔵されたオンライン連結手段に関する情報と一致するものが存在する場合、前記データリンク階層アドレスが加入しているＩＳＰのＩＰアドレスを割り当てることを特徴とする請求項５または６記載のマルチインターネットサービス提供者システムの具現方法。
【請求項９】
前記第３段階は、
前記ＰＣが前記第２段階で割り当てられたＩＰアドレスを用いて外部オンライン網と接続する接続段階と;
前記接続段階で外部オンライン網と接続するＰＣのＩＰアドレスが前記ＰＣのオンライン情報を送受信するルーティング手段で認知されるＩＰアドレス認知段階と;
前記ＩＰアドレス認知段階で前記ＰＣのＩＰアドレスを認知したルーティング手段が、前記ＩＰアドレスを使用するＩＳＰに前記ＰＣのオンライン情報を送受信するオンライン情報送受信段階と;
前記オンライン情報送受信段階で前記ＰＣが加入しているＩＳＰを介してオンライン情報を送受信することによって前記ＰＣが外部オンライン網とオンライン情報を交換するオンライン情報交換段階と；からなることを特徴とする請求項１記載のマルチインターネットサービス提供者システムの具現方法。
【請求項１０】
前記オンライン情報送受信段階において、前記ルーティング手段は、前記ＰＣのＩＰアドレスを使用するＩＳＰに関する情報を前記ＩＰアドレス割当手段より認知して前記ＩＳＰに前記ＰＣのオンライン情報を送受信することを特徴とする請求項９記載のマルチインターネットサービス提供者システムの具現方法。
【請求項１１】
ＰＣに連結された複数個のオンライン連結手段と、該オンライン連結手段にＩＰアドレスを付与することによって前記ＰＣが外部オンライン網に接続されるようにする複数のＩＳＰのオンライン網とを連結するオンライン網において、
前記オンライン網上で前記オンライン連結手段と前記ＩＳＰオンライン網を連結し、前記複数のＩＳＰがそれぞれ使用するＩＰアドレスに関する情報及び前記ＩＳＰに加入したオンライン連結手段に関する情報が貯蔵されるＩＰアドレス割当手段と;
前記ＩＰアドレス割当手段に前記オンライン連結手段を通じて接続するとき、前記ＩＰアドレス割当手段に貯蔵された情報に基づいて前記オンライン連結手段が加入しているＩＳＰが使用するＩＰアドレスが割り当てられるＰＣと;
前記ＰＣに割り当てられたＩＰアドレスを用いて前記ＰＣの送受信情報を前記加入したＩＳＰのオンライン網と送受信して前記ＰＣが外部オンライン網とオンライン情報を送受信するようにするルーティング手段と；を含めてなることを特徴とするマルチインターネットサービス提供者システム。
【請求項１２】
前記ＩＰアドレス割当手段は、前記ＩＳＰ別に使用する私設ＩＰアドレスに関する情報と公認ＩＰアドレスに関する情報を貯蔵できるようなブロックが設定されるように構成されたことを特徴とする請求項１１記載のマルチインターネットサービス提供者システム。
【請求項１３】
前記ＩＰアドレス割当手段は、前記オンライン連結手段のデータリンク階層アドレスに関する情報を貯蔵できるようなブロックが設定されるように構成されたことを特徴とする請求項１１記載のマルチインターネットサービス提供者システム。
【請求項１４】
前記ＩＰアドレス割当手段は、前記接続されたオンライン連結手段に関する貯蔵情報に基づいて前記ＰＣに前記オンライン連結手段が加入しているＩＳＰのＩＰアドレスを割り当てるＤＨＣＰサーバ(Dynamic Host Configuration Protocol Server)と、前記ＤＨＣＰサーバと前記オンライン連結手段が連結されるようにするハブと、を含めて構成されたことを特徴とする請求項１１記載のマルチインターネットサービス提供者システム。
【請求項１５】
前記ＩＰアドレス割当手段と前記ルーティング手段は、前記オンライン連結手段と外部オンライン網において送受信されるオンライン情報が光転送されるようにするギガビットスイッチ(Giga Bit Switch)と、前記ギガビットスイッチを通じて前記ＰＣに前記オンライン連結手段が加入しているＩＳＰのＩＰアドレスを割り当てるＤＨＣＰサーバと、を含めて構成されたことを特徴とする請求項１１記載のマルチインターネットサービス提供者システム。
【発明の詳細な説明】
【技術分野】
【０００１】
本発明は、マルチインターネットサービス提供者(Internet Service Provider;以下、ＩＳＰと称する)システム及びその具現方法に関し、特に、複数のＩＳＰ事業者が同一ＩＳＰシステムを利用してインターネット接続サービスを提供できるようにするマルチＩＳＰシステム及びその具現方法に関する。
【背景技術】
【０００２】
近来、インターネット網のようなオンライン網を介してオンライン情報を送受信する使用者の急増に伴い、それらの使用者がＰＣを用いてオンライン網に接続可能にするＩＳＰ事業者の数も急増してきた。
【０００３】
図１に示すように、ＩＳＰを介してインターネットサービスを利用しようとする使用者のＰＣ１は、それに連結されたケーブルモデム２を通じてビデオ、データ及び音声などからなる広帯域コンテンツが配信されるように同軸ケーブルと光ファイバケーブルが使用されるＨＦＣ(Hybrid Fiber Coaxial Cable)網３のＣＭＴＳ(Cable Modem Termination System)４を介してハブ５に接続される。
【０００４】
ここで、前記ハブ５は、前記ＰＣ１及びケーブルモデム２に、そのケーブルモデム２が加入しているＩＳＰ事業者のＩＳＰが使用するＩＰアドレスを割り当てるように、ＤＨＣＰサーバ(Dynamic Host Configuration Protocol Server)６と連結される。また、前記ハブ５には、そのハブ５を通過した前記ＰＣ１のオンライン情報が外部オンライン網と送受信されるように、前記加入しているＩＳＰのオンライン網７に前記ＰＣ１のオンライン情報を送受信するルータ８も連結される。
【０００５】
このように構成された従来のＩＳＰシステムの動作を説明すると、下記のようである。
【０００６】
まず、前記ＰＣ１と連結されたケーブルモデム２は、前記ＣＭＴＳ４と連結された後、前記ＤＨＣＰサーバ６から私設ＩＰアドレスを受け取る。前記ＰＣ１は、前記ケーブルモデム２が私設ＩＰアドレスを受け取ることによって前記ＤＨＣＰサーバ６から公認ＩＰアドレスを受け取る。
【０００７】
その後、前記ＰＣ１が接続しようとするインターネット網のホストＩＰアドレスあるいはドメインネームをウェブブラウザに入力すると、前記ＰＣ１に公認ＩＰアドレスを割り当てた前記ケーブルモデム２が加入しているＩＳＰのオンライン網７と連結されたルータ８は、前記ＰＣ１が外部オンライン網９の前記ホストに接続可能になるようダイナミックルーティング機能を行う。
【０００８】
しかし、上記のように動作するＩＳＰシステムでは、ＩＳＰ事業者がＨＦＣ網を用いてＰＣ使用者らに超高速インターネット接続サービスのようなサービスを提供するためには、各ＩＳＰ事業者別に別途のＩＳＰシステムを運営しなければならないといった問題点があった。
【０００９】
しかも、各ＩＳＰ事業者別に別途のＩＳＰシステムを設置・運営すると、複数のＩＳＰ事業者らに周波数帯域を配分しなければならず、周波数帯域が不足になる問題につながる。
【００１０】
また、ＣＭＴＳとケーブルモデムが同一の通信プロトコルを使用するＩＳＰシステムを使用する場合、ＣＭＴＳとケーブルモデムとの接続時間が遅れてしまうし、複数個のＣＭＴＳのうち一つのＣＭＴＳに障害が起こる場合、その障害ＣＭＴＳに接続されていたケーブルモデムが他のＣＭＴＳに接続を試みるので、正常状態のＣＭＴＳのパフォーマンスが劣化してしまい、事業者が提供するサービスの品質に悪影響を及ぼす問題点があった。
【００１１】
このように、複数のＩＳＰ事業者が同一のＩＳＰシステムを利用して同時に超高速インターネットサービスを加入者に提供するには多くの問題点があった。
【００１２】
こういう問題点を解決するために、複数のＩＳＰ事業者がそれぞれ別途のＩＳＰシステムを構築する場合、ＣＭＴＳ及びルータも同一のものを使用するこどができず、別途のＣＭＴＳとルータを設置せざるを得なくなる。これは、莫大な費用の消耗となることはもとより、国家経済的な側面でも同じシステムに対する無駄な重複投資となるため、不経済的であると言える。
【発明の開示】
【発明が解決しようとする課題】
【００１３】
本発明は、前述の従来技術の問題点を解決するために案出されたものであり、その目的は、複数のＩＳＰ事業者が同一のＩＳＰシステムを用いてそれぞれのＩＳＰ加入者らにインターネット接続サービスを提供できるようにするマルチＩＳＰシステム及びその具現方法を提供することにある。
【００１４】
本発明の他の目的は、複数のＩＳＰ事業者がＩＳＰシステムを共有するようにして同施設に対する重複投資を避け、経済的損失を防ぐことによって、国家的にも通信産業にかかる費用を節減できるようにするマルチＩＳＰシステム及びその具現方法を提供することにある。
【課題を解決するための手段】
【００１５】
上記の目的を達成するために、本発明は、ＰＣに連結された複数個のオンライン連結手段と、該オンライン連結手段にＩＰアドレスを付与することによって前記ＰＣが外部オンライン網に接続されるようにする複数のＩＳＰ(Internet Service Provider)とを連結するオンライン網において、前記複数のＩＳＰがそれぞれ使用するＩＰアドレスに関する情報及び前記ＩＳＰに加入したオンライン連結手段に関する情報が、前記オンライン網で前記オンライン連結手段と前記ＩＳＰオンライン網とを連結するＩＰアドレス割当手段に貯蔵される第１段階と;前記ＩＰアドレス割当手段に前記ＰＣが前記オンライン連結手段を介して接続するとき、前記第１段階で貯蔵された情報に基づいて前記オンライン連結手段が加入しているＩＳＰが使用するＩＰアドレスが前記ＰＣに割り当てられる第２段階と;前記第２段階で前記ＰＣに割り当てられたＩＰアドレスに基づいて前記ＰＣの送受信情報がルーティング手段を通じて前記加入しているＩＳＰのオンライン網と送受信されることによって、前記ＰＣが外部オンライン網とオンライン情報を送受信する第３段階と；を含めてなるマルチインターネットサービス提供者システムの具現方法を提供する。
【００１６】
また、本発明は、ＰＣに連結された複数個のオンライン連結手段と、該オンライン連結手段にＩＰアドレスを付与することによって前記ＰＣが外部オンライン網に接続されるようにする複数のＩＳＰのオンライン網とを連結するオンライン網において、前記オンライン網上で前記オンライン連結手段と前記ＩＳＰオンライン網を連結し、前記複数のＩＳＰがそれぞれ使用するＩＰアドレスに関する情報及び前記ＩＳＰに加入したオンライン連結手段に関する情報が貯蔵されるＩＰアドレス割当手段と;前記ＩＰアドレス割当手段に前記オンライン連結手段を通じて接続するとき、前記ＩＰアドレス割当手段に貯蔵された情報に基づいて前記オンライン連結手段が加入したＩＳＰが使用するＩＰアドレスが割り当てられるＰＣと;
前記ＰＣに割り当てられたＩＰアドレスを用いて前記ＰＣの送受信情報を前記ＩＳＰに加入したオンライン網と送受信して前記ＰＣが外部オンライン網とオンライン情報を送受信するようにするルーティング手段と；を含めてなるマルチインターネットサービス提供者システムを提供する。
【発明の効果】
【００１７】
本発明のマルチＩＳＰシステム及びその具現方法によれば、加入したＩＳＰのオンライン網を介して外部オンライン網とオンライン情報を送受信しようとする使用者ＰＣに連結されたオンライン連結手段の情報及び前記ＩＳＰがそれぞれ使用するＩＰアドレスに関する情報をＩＰアドレス割当手段にあらかじめ貯蔵しておき、前記ＰＣが前記ＩＳＰオンライン網に接続しようとする場合、前記ＰＣ及びオンライン連結手段の情報を把握することによって前記ＰＣ及びオンライン連結手段を複数のＩＳＰオンライン網のうち加入しているＩＳＰオンライン網に連結させるので、複数のＩＳＰ事業者が一つのＩＳＰシステムを用いてそれぞれの加入者らにインターネット接続サービスを提供できるとともに、一方で同一のＩＳＰシステムのような設備に対する重複投資を防ぎ、国家的次元における経済的損失も減らし得る効果がある。
【発明を実施するための最良の形態】
【００１８】
以下、本発明の好ましい実施例を添付図面を参照しつつ詳細に説明する。
【００１９】
本発明の第１実施例によるマルチＩＳＰシステムは、図２に示すように、複数のＩＳＰに加入した使用者のＰＣ Ｐ１〜Ｐｎと連結されたオンライン連結手段Ｃ１〜Ｃｎと、該オンライン連結手段Ｃ１〜Ｃｎを使用する前記ＰＣ Ｐ１〜Ｐｎに、前記オンライン連結手段Ｃ１〜Ｃｎが加入されたＩＳＰが使用するＩＰアドレスを割り当てるＩＰアドレス割当手段１０と、前記ＩＰアドレス割当手段１０によりＩＰアドレスが割り当てられたＰＣが加入しているＩＳＰオンライン網Ｏ１〜Ｏｎを介して外部オンライン網５０とオンライン情報を送受信できるようにするルーティング手段２０と、で構成される。
【００２０】
ここで、前記ＰＣ Ｐ１〜Ｐｎと連結されたオンライン連結手段Ｃ１〜Ｃｎは、ビデオ、データ及び音声などからなる広帯域コンテンツが配信されるように、同軸ケーブルと光ファイバケーブルが使用されるＨＦＣ(Hybrid Fiber Coaxial Cable)網３０のＣＭＴＳ(Cable Modem Termination System;40)を介して前記ＩＰアドレス割当手段１０と連結される。
【００２１】
また、前記ＩＰアドレス割当手段１０は、前記オンライン連結手段Ｃ１〜Ｃｎと連結された前記ＰＣ Ｐ１〜Ｐｎに、前記オンライン連結手段Ｃ１〜Ｃｎが加入しているＩＳＰのＩＰアドレスを割り当てるＤＨＣＰサーバ１１と、該ＤＨＣＰサーバ１１と前記オンライン連結手段Ｃ１〜Ｃｎが連結されるようにするハブ１２と、で構成される。
【００２２】
一方、本発明の第２実施例は、図３に示すように、前記第１実施例における前記ＩＰアドレス割当手段１０と前記ルーティング手段２０の代りに、前記オンライン連結手段Ｃ１〜Ｃｎと外部オンライン網において送受信されるオンライン情報が光転送されるようにするギガビットスイッチ(Giga Bit Switch)１３と、該ギガビットスイッチ１３を介して前記ＰＣ Ｐ１〜Ｐｎに、前記オンライン連結手段Ｃ１〜Ｃｎが加入しているＩＳＰのＩＰアドレスを割り当てるＤＨＣＰサーバ１４と、で構成したことにその特徴がある。
【００２３】
ここで、前記オンライン連結手段Ｃ１〜Ｃｎには、通常、ケーブルモデムが使用され、前記ルーティング手段２０はルータで構成される。
【００２４】
本発明の第１実施例において、前記ＩＰアドレス割当手段１０は、前記ＩＳＰ別に使用する私設ＩＰアドレス及び公認ＩＰアドレスに関する情報を貯蔵し得るブロックをあらかじめ設定しておくと同時に、前記ＩＳＰに加入したオンライン連結手段Ｃ１〜Ｃｎの情報もまた貯蔵しておく。こうすると、前記ＩＰアドレス割当手段１０は、前記オンライン連結手段Ｃ１〜Ｃｎを通じてＰＣ Ｐ１〜Ｐｎが外部オンライン網５０とオンライン情報を送受信しようとする場合、前記オンライン連結手段Ｃ１〜Ｃｎに対する情報を把握し、そのオンライン連結手段Ｃ１〜Ｃｎが加入したＩＳＰの私設ＩＰアドレスを該当オンライン連結手段Ｃ１〜Ｃｎに割り当てた後、前記オンライン連結手段Ｃ１〜Ｃｎに私設ＩＰアドレスを割り当てたＩＳＰの公認ＩＰアドレスを前記ＰＣ Ｐ１〜Ｐｎに割り当てることができる。
【００２５】
例えば、第１ＩＳＰに加入して前記第１ＩＳＰオンライン網Ｏ１を通じて外部オンライン網とオンライン情報を交換しようとする使用者は、自分のＰＣ Ｐ１と連結されたオンライン連結手段Ｃ１を通じて前記ＩＰアドレス割当手段１０に接続する。
【００２６】
前記オンライン連結手段Ｃ１が前記ＩＰアドレス割当手段１０に接続されると、前記ＩＰアドレス割当手段１０は、あらかじめ貯蔵しておいた前記ＩＳＰに加入したオンライン連結手段に関する情報に基づいて前記オンライン連結手段Ｃ１がＩＳＰに加入されたか否か確認する。
【００２７】
本実施例において、前記ＩＰアドレス割当手段１０は、前記オンライン連結手段Ｃ１を区別できるように前記オンライン連結手段Ｃ１のデータ階層アドレスに関する情報であるＭＡＣ(Media Access Control)アドレス情報を貯蔵し、前記ＩＰアドレス割当手段１０に接続されたオンライン連結手段のＩＳＰへの加入有無と、前記ＭＡＣアドレス情報に基づいて、加入したＩＳＰが使用する私設ＩＰアドレスを前記オンライン連結手段Ｃ１に割り当てる。ここで、前記オンライン連結手段Ｃ１の区別のための情報には、ＭＡＣアドレスの他にも、前記ＩＳＰに加入したオンライン連結手段Ｃ１に前記ＩＳＰが付与したタグ(Tag)情報などがある。
【００２８】
このように前記オンライン連結手段Ｃ１に私設ＩＰアドレスが割り当てられた後、前記オンライン連結手段Ｃ１と連結されたＰＣ Ｐ１は、前記ＩＰアドレス割当手段１０に前記オンライン連結手段Ｃ１のＭＡＣアドレス情報を含むパケットを転送する。
【００２９】
前記ＰＣ Ｐ１からオンライン連結手段Ｃ１のＭＡＣアドレス情報を受信すると、前記ＩＰアドレス割当手段１０は、前記ＭＡＣアドレスが加入しているＩＳＰの公認ＩＰアドレスを前記ＰＣ Ｐ１に割り当て、そのＰＣ Ｐ１が、割り当てられた公認ＩＰアドレスを用いて、加入したＩＳＰオンライン網Ｏ１を介して外部オンライン網５０とオンライン情報を交換できるようにする。
【００３０】
前記ＰＣ Ｐ１に公認ＩＰアドレスが割り当てられた後、前記ＰＣ Ｐ１の使用者は、オンライン情報を送受信しようとするホストのＩＰアドレスやドメインネームをウェブブラウザに入力することによって前記ホストとの接続を試みる。
【００３１】
この場合、前記ＰＣ Ｐ１が外部と送受信しようとするオンライン情報は、ルーティング手段２０であるルータを介してＩＳＰオンライン網Ｏ１に伝達されるが、ここで、前記ルータは前記ＰＣ Ｐ１のソースアドレス、つまり、前記ＰＣ Ｐ１に割り当てられた公認ＩＰアドレスを認識した後、そのＩＰアドレスが複数のＩＳＰのうちどのＩＳＰで使用されているかを前記ＩＰアドレス割当手段１０より判断する。
【００３２】
ここで、前記ＰＣ Ｐ１は第１ＩＳＰのオンライン網Ｏ１を利用するので、前記ルータは前記ＰＣ Ｐ１のオンライン情報を前記第１ＩＳＰのオンライン網Ｏ１と送受信することによって前記ＰＣ Ｐ１が複数のＩＳＰのうち、加入しているＩＳＰのオンライン網を介して外部オンライン網５０とオンライン情報を送受信できるようにする。
【００３３】
図４には、本発明に係るマルチＩＳＰシステムでオンライン連結手段とＰＣがＩＰアドレス割当手段に転送するパケットを示す。
【００３４】
前記パケットには、そのパケットを定義する定義ブロック５２と、パケットの長さを表すパケット長ブロック０ｅと、次に配列された第１データの種類を表す第１データ分類ブロック０１と、前記第１データの長さを表す第１データ長ブロック０４と、そのパケットがオンライン連結手段から転送されたものか、或いはＰＣから転送されたものかを表し、前記第１データが含まれた第１データブロック０ｘ、ｘｘ、ｘｘ、ｘｘと、次に配列された第２データの種類を表す第２データ分類ブロック０２と、前記第２データの長さを表す第２データ長ブロック０６と、オンライン連結手段のＭＡＣアドレス情報からなる第２データブロックｘｘ、ｘｘ、ｘｘ、ｘｘ、ｘｘ、ｘｘと、からなる。
【００３５】
前記ＩＰアドレス割当手段は、前記第１データブロックの第１ブロック０ｘのデータに基づいてそのパケットがケーブルモデムから転送されたものか、或いはＰＣから転送されたものかを把握する。
【００３６】
つまり、そのパケットがケーブルモデムから転送された場合前記第１データブロックの第１ブロック０ｘは‘００’のデータ値を持ち、ＰＣから転送された場合前記第１ブロック０ｘは‘０１’のデータ値を持つ。
【００３７】
したがって、前記ＩＰアドレス割当手段は、転送されたパケットの定義ブロックが‘５２’のデータ値を持ち、前記第１ブロック０ｘが‘００’のデータ値を持つ場合、オンライン連結手段がＩＰアドレス割当手段に接続されたことがわかり、前記オンライン連結手段のＭＡＣアドレスを確認し、そのＭＡＣアドレスが加入しているＩＳＰの私設ＩＰアドレスを前記オンライン連結手段に割り当てる。
【００３８】
一方、前記ＩＰアドレス割当手段は、転送されたパケットの定義ブロックが‘５２’のデータ値を持ち、前記第１ブロック０ｘが‘０１’のデータ値を持つ場合、ＰＣがＩＰアドレス割当手段に接続したことがわかり、前記第２データブロックに含まれた前記ＰＣと連結されたオンライン連結手段のＭＡＣアドレスを確認し、そのＭＡＣアドレスが加入しているＩＳＰの公認ＩＰアドレスを前記ＰＣに割り当てる。
【００３９】
以下、上記のように構成された本発明の動作を、図５を参照して詳細に説明する。
【００４０】
まず、Ａ１段階で、複数のＩＳＰ別に使用する私設ＩＰアドレス及び公認ＩＰアドレスに関する情報と、前記ＩＳＰに加入しているオンライン連結手段のＭＡＣアドレス情報がＩＰアドレス割当手段に貯蔵される。
【００４１】
Ａ２段階で、前記ＩＳＰに加入しているオンライン連結手段が前記ＩＰアドレス割当手段に接続される場合、前記ＩＰアドレス割当手段は前記オンライン連結手段のＭＡＣアドレスを確認し、そのＭＡＣアドレスが加入しているＩＳＰの私設ＩＰアドレスを前記オンライン連結手段に割り当てる。
【００４２】
前記オンライン連結手段が前記ＩＰアドレス割当手段から私設ＩＰアドレスを受け取ると、Ａ３段階で、前記ＰＣは、前記ＩＰアドレス割当手段に接続する。
【００４３】
前記ＰＣが前記ＩＰアドレス割当手段に接続すると、Ａ４段階で、前記ＩＰアドレス割当手段は、前記ＰＣが転送したパケットに含まれた前記オンライン連結手段のＭＡＣアドレスに基づいて前記ＰＣに前記ＭＡＣアドレスが加入されたＩＳＰの公認ＩＰアドレスを割り当てる。
【００４４】
このように加入しているＩＳＰの公認ＩＰアドレスが割り当てられた前記ＰＣは、Ａ５段階で、外部オンライン網とオンライン情報を送受信するために、所望のホストのＩＰアドレスあるいはドメインネームをウェブブラウザに入力する。
【００４５】
すると、前記ＰＣのオンライン情報をＩＳＰオンライン網と送受信するルーティング手段は、Ａ６段階で、前記ＰＣのソースアドレス、つまり、前記ＰＣに割り当てられた公認ＩＰアドレスを認知し、前記ＩＰアドレス割当手段を通じてその公認ＩＰアドレスがどのＩＳＰを使用するか確認する。
【００４６】
前記ＰＣがどのＩＳＰに加入されか確認した後前記ルーティング手段は、Ａ７段階で、前記ＰＣのオンライン情報を、そのＰＣが加入しているＩＳＰのオンライン網に送受信することによって、前記ＰＣが外部オンライン網と所望の情報を前記加入しているＩＳＰオンライ網を介して送受信できるようにする。
【００４７】
ここで、前記Ａ２、Ａ３、Ａ４段階は、ＩＳＰシステムの種類によって省略可能である。例えば、ＰＣはＩＰアドレス割当手段に直接連結されることによって加入しているＩＳＰのＩＰアドレスを受け取った後、そのＩＳＰオンライン網とオンライン情報を送受信することによって外部オンライン網とオンライン情報を交換する。
【００４８】
次に、本発明に係るＩＰアドレス割当手段のＩＰアドレス割当方法を図６を参照して説明する。
【００４９】
まず、Ｂ１段階で、複数のＩＳＰ別に使用する私設ＩＰアドレス及び公認ＩＰアドレスに関する情報と、前記ＩＳＰに加入しているオンライン連結手段のＭＡＣアドレス情報がＩＰアドレス割当手段に貯蔵される。
【００５０】
Ｂ２段階で、前記ＩＰアドレス割当手段にＩＰアドレス割当を要請するパケット、つまり、前記図４に示したパケットが転送される。
【００５１】
前記Ｂ２段階のパケットが転送されると、前記ＩＰアドレス割当手段は、Ｂ３段階で、前記パケットの第１データブロックの第１ブロックを確認して前記パケットがオンライン連結手段から転送されたものか、或いはＰＣから転送されたものか判断する。
【００５２】
前記Ｂ３段階で前記ＩＰアドレス割当手段に転送されたパケットがオンライン連結手段から転送されたものと判断される場合、Ｂ４段階で、前記ＩＰアドレス割当手段は前記オンライン連結手段のＭＡＣアドレスを確認して前記ＩＰアドレス割当手段に貯蔵されているか確認する。
【００５３】
前記Ｂ４段階で前記オンライン連結手段のＭＡＣアドレスが前記ＩＰアドレス割当手段に貯蔵されていると確認される場合、Ｂ５段階で、前記ＩＰアドレス割当手段は複数のＩＳＰのうち前記ＭＡＣアドレスが加入しているＩＳＰを選択し、そのＩＳＰが使用する私設ＩＰアドレスを前記オンライン連結手段に割り当てる。
【００５４】
一方、前記Ｂ４段階で、前記オンライン連結手段のＭＡＣアドレスが前記ＩＰアドレス割当手段に貯蔵されていないと確認される場合、Ｂ６段階で、前記ＩＰアドレス割当手段は、前記オンライン連結手段が加入しているＩＳＰがないことを認知し、ＩＰアドレスを割り当てない。
【００５５】
また、前記Ｂ３段階で、前記ＩＰアドレス割当手段に転送されたパケットがＰＣから転送されたものと判断される場合、Ｂ７段階で、前記ＩＰアドレス割当手段は前記パケットの第２データブロックに含まれたオンライン連結手段のＭＡＣアドレスに関する情報を確認する。
【００５６】
Ｂ８段階で、前記ＩＰアドレス割当手段は、前記Ｂ４段階と同様に、前記Ｂ７で確認されたＭＡＣアドレスが前記ＩＰアドレス割当手段に貯蔵されているものか確認する。
前記Ｂ８段階で前記ＭＡＣアドレスが前記ＩＰアドレス割当手段に貯蔵されていると確認される場合、Ｂ９段階で、前記ＩＰアドレス割当手段は、前記ＭＡＣアドレスが加入しているＩＳＰが使用する公認ＩＰアドレスを前記ＰＣに割り当てる。
【００５７】
一方、前記Ｂ８段階で前記ＭＡＣアドレスが前記ＩＰアドレス割当手段に貯蔵されていないものと確認される場合、Ｂ１０段階で前記ＩＰアドレス割当手段は、前記ＰＣにＩＰアドレスを割り当てない。
【図面の簡単な説明】
【００５８】
【図１】従来のＩＳＰシステムの構成を示すブロック図。
【図２】本発明に係るマルチＩＳＰシステムの第１実施例の構成を示すブロック図。
【図３】本発明に係るマルチＩＳＰシステムの第２実施例の構成を示すブロック図。
【図４】本発明に係るマルチＩＳＰシステムで転送されるパケットを示すブロック図。
【図５】本発明に係るマルチＩＳＰシステムの動作方法を示すフローチャート。
【図６】本発明に係るマルチＩＳＰシステムでＩＰアドレス割当方法を示すフローチャート。
【符号の説明】
【００５９】
１    ＰＣ
２    ケーブルモデム
３    ＨＦＣ網
４    ＣＭＴＳ
５    ハブ
６    ＤＨＣＰサーバ
７    ＩＳＰオンライン網
８    ルータ
９    外部オンライン網
１０  ＩＰアドレス割当手段
１１  ＤＨＣＰサーバ
１２  ハブ
【図１】
2004527941.tif 000003
【図２】
2004527941.tif 000004
【図３】
2004527941.tif 000005
【図４】
2004527941.tif 000006
【図５】
2004527941.tif 000007
【図６】
2004527941.tif 000008
【国際公開パンフレット】
2004527941.tif 000009
2004527941.tif 000010
2004527941.tif 000011
2004527941.tif 000012
2004527941.tif 000013
2004527941.tif 000014
2004527941.tif 000015
2004527941.tif 000016
2004527941.tif 000017
2004527941.tif 000018
2004527941.tif 000019
2004527941.tif 000020
2004527941.tif 000021
2004527941.tif 000022
2004527941.tif 000023
2004527941.tif 000024
2004527941.tif 000025
2004527941.tif 000026
2004527941.tif 000027
2004527941.tif 000028
2004527941.tif 000029
2004527941.tif 000030
2004527941.tif 000031
2004527941.tif 000032
2004527941.tif 000033
2004527941.tif 000034
2004527941.tif 000035
2004527941.tif 000036
【国際調査報告】
2004527941.tif 000037